(57)【要約】【課題】敷設及び敷設後の配線の修正が容易であり、更に、敷設後に支持部材から垂れ下がることを防止できる非接触給電用給電線、及び該非接触給電用給電線を備える非接触給電システムを提供する。【解決手段】その保護及び絶縁のために、導線４１０を軟質被覆４１１で被覆し、次に、硬質被覆４１２より低い硬度を有する摺動被覆４１３で被覆し、更に、軟質被覆４１１の硬度より高い硬度を有する硬質被覆４１２で被覆して給電線４１を形成し、シースを用いることなく支持部材１４，１４，…に取り付ける。給電線４１を屈曲させる場合は、屈曲部分の硬質被覆４１２を除去する。【選択図】        図５
2004253268.tif 000002
【特許請求の範囲】
【請求項１】
導体と該導体を被覆する第１被覆部とを備える非接触給電用給電線において、
前記第１被覆部を被覆する第２被覆部を備え、該第２被覆部の硬度は前記第１被覆部の硬度より高いことを特徴とする非接触給電用給電線。
【請求項２】
前記第１被覆部と前記第２被覆部との間に、前記第１被覆部を被覆し、該第１被覆部又は前記第２被覆部に対して摺動する第３被覆部を介在してなり、該第３被覆部の硬度は前記第２被覆部の硬度より低いことを特徴とする請求項１に記載の非接触給電用給電線。
【請求項３】
交流電流を流すべき非接触給電用給電線と、該非接触給電用給電線から非接触で受電して負荷へ給電する非接触給電装置とを備える非接触給電システムにおいて、
前記非接触給電用給電線が、請求項１又は２に記載の非接触給電用給電線であることを特徴とする非接触給電システム。
【発明の詳細な説明】
【０００１】
【発明の属する技術分野】
本発明は、交流電流を流すべき非接触給電用給電線、及び該非接触給電用給電線を備える非接触給電システムに関する。
【０００２】
【従来の技術】
従来の非接触給電システムは、交流電流が流れる非接触給電用給電線（以下、給電線という）と、給電線から物理的に非接触の状態で受電して負荷へ給電する非接触給電装置とを備える。
【０００３】
図７は、従来の給電線４４の構成を示す模式図であり、図７（ａ）は給電線４４の断面図を示し、図７（ｂ）は側面視の斜視図を示している。
略円形の断面形状を有する直径１３ｍｍの給電線４４は、導線４４０を中心部に備える。導線４４０の断面形状は円形であり、導線４４０の保護及び絶縁のために、導線４４０の周面を、合成樹脂（例えばポリエチレン）を用いてなる軟質被覆４４１が覆っている。給電線４４を曲線的に配置する場合があるため、軟質被覆４４１は、給電線４４を容易に湾曲又は屈曲させることができる硬度（低い硬度）に形成されている。
【０００４】
給電線４４を略水平に敷設する場合、給電線４４は、例えば、水平方向に夫々離隔して設けられた複数の支持部材１５，１５，…に取り付けられる。その際、給電線４４を直接的に支持部材１５，１５，…に取り付けたときは、軟質部材の硬度が低いため、支持部材１５と支持部材１５との間で、自重によって給電線４４が垂れてしまったり、垂れた給電線４４が、非接触給電装置が備えるピックアップに接触してしまったりすることがあった。
【０００５】
給電線４４の垂れを防止する場合、従来、給電線４４をシース１６に挿入させて支持部材１５，１５，…に取り付ける方法が実施されている。
シース１６は、厚さ１ｍｍの円筒状であり、その内部への給電線４４の挿入が容易であるように、その内径が、給電線４４の外径より大きくなるよう形成されている。ただし、シース１６の外径は、シース１６が、前記ピックアップに接触しない外径である。また、シース１６は、軟質被覆４４１より硬度が高くなるよう合成樹脂（例えばポリプロピレン）を用いて形成されている。このため、シース１６は、容易に湾曲又は屈曲せず、給電線４４を支持して、給電線４４の垂れ及び垂れによる前記ピックアップへの接触を防止している。
即ち、給電線４４は、シース１６に挿入してあり、該シース１６が支持部材１５に取り付けられることによって、垂れることなく敷設される。
【０００６】
給電線４４を屈曲又は湾曲させて敷設する場合、シース１６は屈曲又は湾曲しないため、給電線４４の屈曲部又は湾曲部の形状に対応している形状のシース１６を用いたり、１本のシース１６を切断して２本のシース１６，１６とし、図７（ｂ）に示すように、シース１６とシース１６との間（継ぎ目）で給電線４４を屈曲又は湾曲させたりする。
給電線の垂れを防止する他の方法としては、導線を熱硬化樹脂で被覆してなる給電線を敷設し、敷設後に通電することによって、導線を発熱させ、熱硬化樹脂を硬化させる方法がある（例えば、特許文献１参照）。
【０００７】
【特許文献１】
特開平５−３４４６０２号公報
【０００８】
【発明が解決しようとする課題】
しかしながら、シース１６を用いる場合は、給電線４４の敷設時に、所要の長さのシース１６を準備し、又はシース１６を所要の長さに切断し、更に、シース１６に給電線４４を挿入する必要があるという問題があった。また、長いシース１６（例えば２００ｍ超のシース１６）に給電線４４を挿入する作業は困難であり、給電線敷設作業のコストアップが生じるという問題もあった。更に、以上のような問題は、敷設後に配線を修正する場合にも生じることがあった。
【０００９】
また、シース１６の内径が給電線４４の外径より大きいため、シース１６に挿入してある給電線４４とシース１６の内面との間に大きな空隙が存在する。このため、給電線４４内部の導線４４０と、非接触給電装置のピックアップが備えるコイルとの間の距離が大きくなり、非接触給電装置の受電能力が低下するという問題もあった。
【００１０】
また、図７（ｂ）に示すような給電線４４の屈曲部又は湾曲部では、シース１６，１６の端部が給電線４４の接線方向に突出してしまうため、突出した端部が前記ピックアップに接触してしまうことがあるという問題があった。また、この問題を解決すべく、シース１６とシース１６との継ぎ目が給電線４４の直線部にのみ位置するよう各シース１６を配置し、更に、給電線４４の屈曲又は湾曲に対応する形状のシース１６を用意する必要があった。このため、配線を修正する場合は、修正前と異なる長さ又は形状のシース１６を新たに用意しなければならない場合もあった。
更に、特許文献１に開示されている給電線は、熱硬化樹脂が硬化してるため、敷設後に配線を修正できないという問題があった。
【００１１】
本発明は斯かる問題を解決するためになされたものであり、第１被覆部に覆われた導体を、第１被覆部より硬度が高い第２被覆部で覆うことにより、敷設及び配線の修正が容易であり、しかも垂れを防止できる非接触給電用給電線、及び該非接触給電用給電線を備える非接触給電システムを提供することを目的とする。
【００１２】
【課題を解決するための手段】
第１発明に係る非接触給電用給電線は、導体と該導体を被覆する第１被覆部とを備える非接触給電用給電線において、前記第１被覆部を被覆する第２被覆部を備え、該第２被覆部の硬度は前記第１被覆部の硬度より高いことを特徴とする。
【００１３】
第１発明にあっては、導体を、その保護及び絶縁のために、第１被覆部で被覆し、更に、第１被覆部の硬度より高い硬度を有する第２被覆部で被覆する。第１被覆部で被覆されただけの導体は過度に柔軟であり、例えば、複数の支持部材に取り付けられて水平に敷設された場合に、支持部材と支持部材との間で垂れ下がることがある。しかしながら、第１被覆部及び第２被覆部で被覆された導体（即ち本発明の非接触給電用給電線）は、適度な硬度を有するため、上述のように水平に敷設された場合であっても、垂れ下がることがない。このため、垂れ下がった非接触給電用給電線が他の装置（例えば非接触給電装置）に接触することが防止される。
【００１４】
このような非接触給電用給電線の敷設には、シースが不要であり、また、第１被覆部及び／又は第２被覆部が硬化していないため、敷設、及び敷設後の配線の修正が容易である。
また、非接触給電用給電線が、適度な柔軟性を有することによって、配線の自由度が向上する。更に、第２被覆部を部分的に除去することによって、より高い柔軟性を有する非接触給電用給電線となるため、配線の自由度が更に向上する。
【００１５】
第２発明に係る非接触給電用給電線は、前記第１被覆部と前記第２被覆部との間に、前記第１被覆部を被覆し、該第１被覆部又は前記第２被覆部に対して摺動する第３被覆部を介在してなり、該第３被覆部の硬度は前記第２被覆部の硬度より低いことを特徴とする。
【００１６】
第２発明にあっては、導体を第１被覆部で被覆し、次に、第２被覆部より低い硬度を有する第３被覆部で被覆し、更に、第２被覆部で被覆する。第１被覆部、第２被覆部及び第３被覆部で被覆された導体（即ち本発明の非接触給電用給電線）は、適度な硬度と柔軟性とを有するため、上述のように水平に敷設された場合であっても垂れ下がることがなく、また、配線の自由度が向上する。
また、第２被覆部を除去する場合に、第３被覆部が第１被覆部を保護する。更に、第３被覆部が第１被覆部又は第２被覆部に対して摺動するため、第２被覆部を除去しない場合であっても非接触給電用給電線がより容易に湾曲する。即ち、このような非接触給電用給電線は、その垂れを防止しつつ配線の自由度を更に向上している。
【００１７】
第３発明に係る非接触給電システムは、交流電流を流すべき非接触給電用給電線と、該非接触給電用給電線から非接触で受電して負荷へ給電する非接触給電装置とを備える非接触給電システムにおいて、前記非接触給電用給電線が、第１発明又は第２発明に記載の非接触給電用給電線であることを特徴とする。
【００１８】
第３発明にあっては、非接触給電用給電線の垂れが防止されているため、非接触給電用給電線と非接触給電装置との接触が防止されている。また、非接触給電用給電線の敷設時にシースが不要であり、更に、非接触給電用給電線の第１被覆部及び／又は第２被覆部が硬化していない。このため、システムを構成する部品点数が少なく、また、接触給電用給電線の敷設に関するシステムの組み立て及び修正が容易である。
【００１９】
【発明の実施の形態】
以下、本発明をその実施の形態を示す図面に基づいて詳述する。
（実施の形態  １．）
図１は、本発明の実施の形態１に係る非接触給電システムを備える移動体２を用いた移動体システムの構成を示す斜視図である。
図中１は、モノレール方式の移動体システムを構成するレールである。該レール１は、工場又は倉庫等の天井に敷設されており、レール１に、システムコントローラ１１によって駆動制御される複数の移動体２，２，…が夫々懸架されている。また、レール１は、図示しない複数のステーションを結んで、多重のループ状に設けられており、このため、交差部を有する。
【００２０】
交差部には、スイッチレール方式の分岐・合流部１０，１０，…が設けられており、分岐・合流部１０，１０，…は、移動体２，２，…の目的地に応じてレール１を切り替えるよう構成してある。
各移動体２は、本実施の形態の非接触給電システムを介して、駆動用の電力を得る。非接触給電システムは、ＡＣ２００Ｖ、６０Ｈｚの商用電源９（図４参照）から受電して、高周波（例えば１０ＫＨｚ）の定電流（振幅一定又は実効電流一定の交流電流）を出力する高周波電源装置４と、高周波電源装置４に接続されて高周波の定電流を供給される非接触給電用給電線である給電線４１（図４参照）と、各移動体２に載置された非接触給電装置８とを備える。
【００２１】
図２及び図３は、移動体２の構成を示す側面図及び正面図である。
移動体システムのレール１はＩ字型の断面形状を有し、その一側面には、支持腕１２，１２，…が、レール１の長手方向に適宜の間隔で設けられている。レール１は、支持腕１２，１２，…によって天井から略水平に吊り下げられている。
レール１の他側面には、給電線取付板１３がネジ留めされており、給電線取付板１３の上下方向中央部に、棒状部材を用いてなる支持部材１４，１４，…が多数、適宜の間隔で略水平に並んで設けられている。
給電線４１は、支持部材１４，１４，…の先端部に固定されることによって、レール１に沿って敷設されている。
【００２２】
各移動体２は、正面視がコの字状である前後一対の車体枠２１，２２を備え、該車体枠２１，２２の上部に、前輪２１ａ及び後輪２２ａを夫々回動可能に備える。移動体２は、前輪２１ａ及び後輪２２ａをレール１に転接させることによって、レール１に懸架されている。また、車体枠２１には、前輪２１ａ近傍に、前輪２１ａに連繋する走行用のモータＭが固定されている。
移動体２は、被搬送物を着脱可能に取り付けることができるキャリア２３を備え、キャリア２３は、車体枠２１，２２夫々の下部にわたして設けられ、車体枠２１，２２によってレール１の下側に吊り下げられている。
【００２３】
移動体２が積載している非接触給電装置８は、ピックアップＰを構成するコイル５１及びコア５２を備え、該ピックアップＰは、車体枠２１のレール１側に固定されている。移動体２は、非接触給電装置８にモータＭを接続してあり（図４参照）、非接触給電装置８を介し、給電線４１からモータＭ駆動用の電力を得て、前輪２１ａ及び後輪２２ａを回転させ、一のステーションから他のステーションへ被搬送物を搬送すべく白抜矢符方向へ走行する。
【００２４】
ピックアップＰが備えるコア５２は、断面形状がコの字状に形成された磁性体（例えばフェライト）であり、背部及び２本の脚部を有し、前記背部に、コイル５１が巻回してある。
レール１に移動体２が載架されている場合、移動体２の車体枠２１に取り付けられたピックアップＰと、レール１の支持部材１４，１４，…に取り付けられた給電線４１とは、所定の間隔を隔てて対面し、給電線４１がコア５２の脚部の間に位置するよう配置されている。
高周波電源装置４によって給電線４１に高周波交流電流が通電されたとき、給電線４１の周囲に、時間的に変化する磁束が形成される。非接触給電装置８は、その磁束がコイル５１に鎖交することによってコイル５１に発生した誘導起電力を受電し（即ち、非接触で受電し）、負荷であるモータＭへ供給する。
【００２５】
図４は、非接触給電装置８の構成を示す電気回路図である。
図中９は商用電源であり、商用電源９に接続された高周波電源装置４は、商用電源９の出力を整流し、平滑化して直流とし、該直流をインバータ（ＤＣーＡＣ変換器）に入力して高周波交流電流に変換して、変換した高周波電流を給電線４１へ定電流として出力する。
各移動体２に搭載してある非接触給電装置８は、受電回路５を備える。また、受電回路５の出力部に、ＤＣバスＤＢを介してモータドライバＤが接続してあり、モータドライバＤは、負荷としてのモータＭを駆動する。モータＭは交流モータであり、モータドライバＤを介して、受電回路５に接続してある。
【００２６】
受電回路５は共振回路部５０を備え、共振回路部５０は、コイル５１と、コイル５１に並列に接続された共振コンデンサ５３とを備える。共振回路部５０は、給電線４１に誘導結合すべく、給電線４１に対し離隔配置されているコイル５１のインダクタンスと、共振コンデンサ５３のキャパシタンスとが、給電線４１を流れる高周波交流電流の周波数と共振状態になるよう構成されている。即ち、共振回路部５０は、コイル５１に誘起された電力を受けて、高周波交流の定電流源として機能する。
【００２７】
受電回路５は、共振回路部５０の他に、共振回路部５０の出力である定電流を定電圧（振幅一定又は実効電圧一定の交流電圧）に変換するイミタンス変換回路５４と、イミタンス変換回路５４の出力である定電圧の交流電流を全波整流するダイオードブリッジを用いた整流回路５５と、平滑コンデンサを用いてなり、整流回路５５が出力した全波整流波形を有する直流電流を平滑化する平滑部５６とを備える。
なお、整流回路５５を、全波整流するダイオードブリッジの代わりに半波整流するダイオードを用いて構成しても良い。
【００２８】
受電回路５は、共振回路部５０の出力（定電流）を、イミタンス変換回路５４で定電圧に変換し、整流回路５５で全波整流し、平滑部５６で平滑することによって、直流電流をモータドライバＤへ供給する。
モータドライバＤはインバータ機能を有するよう構成してあり、供給された直流電流を交流電流に変換して、モータＭへ供給する。モータＭは、交流電流を受けて回転し、前輪２１ａを駆動する。
【００２９】
図５は、給電線４１の構成を示す模式図であり、図５（ａ）は給電線４１の断面図を示し、図５（ｂ）は側面図を示している。
断面形状が略円形の給電線４１は、断面形状が略円形の導体である導線４１０を備え、導線４１０の保護及び絶縁のため、導線４１０の周面を、導線４１０の全長にわたって、合成樹脂（例えばポリエチレン）を用いてなる軟質被覆４１１（第１被覆部）が密着して覆っている。導線４１０及び軟質被覆４１１（軟質被覆４１１に被覆された導線４１０）は断面形状が略円形であり、従来の給電線と同じ１３ｍｍの直径を有する。また、厚さ０．５ｍｍの硬質被覆４１２（第２被覆部）が、導線４１０の全長にわたり、摺動被覆４１３を介在して、軟質被覆４１１の周面を覆っている。
【００３０】
硬質被覆４１２は、合成樹脂（例えばポリエチレン）を用いて軟質被覆４１１の硬度より高い硬度に形成されている。ただし、硬質被覆４１２の硬度は従来のシースの硬度より低く、かつ、給電線４１の湾曲を妨げない。本実施の形態の給電線４１は、曲率半径Ｒが１００ｍｍ程度の曲線に沿って湾曲させることができる。
また、硬質被覆４１２は、例えばカッターで切断された場合に、軟質被覆４１１（及び摺動被覆４１３）に覆われた導線４１０から容易に剥がしたり引き抜いたりすることができるよう設けられている。
【００３１】
摺動被覆４１３は、紙テープを用いてなり、軟質被覆４１１に覆われた導線４１０を巻回して、軟質被覆４１１の周面を、導線４１０の全長にわたって覆っている。摺動被覆４１３は、軟質被覆４１１にも硬質被覆４１２にも固着されておらず、例えば給電線４１を湾曲させた場合に、軟質被覆４１１及び／又は硬質被覆４１２に対して摺動する。
なお、摺動被覆４１３は、紙テープのみならず、合成ゴム、合成樹脂、又は布等を用いて構成しても良く、また、テープ状でなくても良い。
【００３２】
摺動被覆４１３は、硬質被覆４１２を、例えばカッターで切断する場合に、カッターで軟質被覆４１１が損傷しないだけの硬度及び厚みを有する。ただし、摺動被覆４１３は、給電線４１の湾曲を妨げないよう、硬質被覆４１２の硬度より低い硬度を有する。また、摺動被覆４１３の厚みは、従来のシースと給電線との間の空隙の厚みに比べて非常に薄く、また、摺動被覆４１３は軟質被覆４１１と硬質被覆４１２とに夫々接触しているため、軟質被覆４１１と硬質被覆４１２との間には、従来の給電線とシースとの間に存在したような大きな空隙がない。このため、給電線４１内部の導線４１０と、非接触給電装置８のピックアップＰが備えるコイル５１との間の距離が小さくなり、非接触給電装置８の受電能力が向上する。
【００３３】
このような給電線４１は、導線４１０を軟質被覆４１１で被覆し、次いで、摺動被覆４１３を巻き付け、最後に、硬質被覆４１２で被覆して形成する。また、このような給電線４１を敷設する場合、直線的又は曲線的（１００Ｒ程度まで）なレール１が備える支持部材１４，１４，…に取り付ける際には、従来のようなシースを用いず、直接的に給電線４１を支持部材１４，１４，…に取り付ける。このとき、硬質被覆４１２が十分な硬度を有するため、給電線４１の垂れが防止される。即ち、給電線４１は、従来の給電線とシースの機能とを一体に設けてあり、敷設時に給電線４１の長さに合わせてシースを切断したり、シースに給電線を通したりする作業が必要なく、作業工数が少ない。
【００３４】
より曲線的な部位に給電線４１を取り付ける場合、又は給電線４１を屈曲させる場合、給電線４１の湾曲部分又は屈曲部分（例えば図５（ｂ）中のＣ。以下、曲部Ｃという）の位置にある硬質被覆４１２を除去して用いる。このとき、曲部Ｃ以外（例えば支持部材１４，１４，…に取り付ける部分）の位置にある硬質被覆４１２を除去しないことによって、給電線４１の垂れが防止される。また、硬質被覆４１２はシースよりも硬度が低いため、切断し易く、剥がしたり引き抜いたりし易い。更に、硬質被覆４１２の切断時に、摺動被覆４１３が軟質被覆４１１を保護して、軟質被覆４１１の損傷を防止する。
【００３５】
また、給電線４１は、取り付けの際にシースが不要であるため、非接触給電システムの部品点数を削減して簡易な構成とし、また、シースを用いない分だけ作業工数を低減し、シースの継ぎ目がレール１の直線部に位置するよう配置したり給電線４１の配置形状に応じた形状のシースを準備したりする必要もないため、非接触給電システムの組み立てを容易にする。
更に、給電線４１は、シースが不要であり、硬質被覆４１２も適度の柔軟性を有するため、配線の修正が容易である。
なお、給電線４１の端部においても、例えば高周波電源装置４に接続し易くなるよう、硬質被覆４１２を除去しても良い。
【００３６】
（実施の形態  ２．）
図６は、本発明の実施の形態２に係る給電線４２，４３の構成を示す模式図であり、図６（ａ）は一の給電線４２の断面図を示し、図６（ｂ）は他の給電線４３の断面図を示している。
本発明の実施の形態２に係る非接触給電システムは、給電線４２又は給電線４３と、実施の形態１の非接触給電装置８とで構成される。
【００３７】
図６（ａ）の給電線４２は、断面形状が略円形の導体である導線４２０を備え、該導線４２０の周面を、導線４２０の全長にわたって、軟質被覆４２１が密着して覆っている。軟質被覆４２１に被覆された導線４２０は断面形状が略円形であり、従来の給電線と同じ１３ｍｍの直径を有する。また、硬質被覆４２２が、導線４２０の全長にわたり、摺動被覆４２３を介在して、軟質被覆４２１の周面を覆って、給電線４２の断面形状を略矩形に形成している。
【００３８】
図６（ｂ）の給電線４３は、断面形状が略矩形の導体である導線４３０を備え、該導線４３０の周面を、導線４３０の全長にわたって、軟質被覆４３１が密着して覆っている。軟質被覆４３１に被覆された導線４３０は断面形状が略矩形であり、更に、硬質被覆４３２が、導線４３０の全長にわたり、摺動被覆４３３を介在して、軟質被覆４３１の周面を覆って、給電線４３の断面形状を略矩形に形成している。
【００３９】
以上のような給電線４２，４３が備える導線４２０，４３０、軟質被覆４２１，４３１、硬質被覆４２２，４３２、及び摺動被覆４２３，４３３は、実施の形態１の給電線４１が備える導線４１０、軟質被覆４１１、硬質被覆４１２、及び摺動被覆４１３に対応する。
その他、実施の形態１に対応する部分には同一符号を付してそれらの説明を省略する。
【００４０】
以上のような給電線４２，４３を敷設する場合、レール１が備える支持部材１４，１４，…に取り付ける際には、従来のようなシースを用いず、直接的に給電線４２，４３を支持部材１４，１４，…に取り付ける。このとき、硬質被覆４２２，４３２が十分な硬度を有するため、給電線４２，４３の垂れが防止される。即ち、給電線４２，４３は、従来の給電線とシースの機能とを一体に設けてあり、敷設時に給電線４２，４３の長さに合わせてシースを切断したり、シースに給電線を通したりする作業が必要なく、作業工数が少ない。
【００４１】
また、給電線４２，４３の湾曲部分又は屈曲部分の位置にある硬質被覆４２２，４３２を除去し、例えば支持部材１４，１４，…に取り付ける部分の位置にある硬質被覆４２２，４３２を除去しないことによって、給電線４２，４３を大幅に湾曲又は屈曲させて取り付ける場合であっても、給電線４２，４３の垂れが防止される。
更に、給電線４２，４３は、取り付けの際にシースが不要であるため、非接触給電システムの部品点数を削減して簡易な構成とし、また、シースを用いない分だけ作業工数を低減し、シースの継ぎ目がレール１の直線部に位置するよう配置したりレール１の形状に応じた形状のシースを準備したりする必要もないため、非接触給電システムの組み立てを容易にする。
【００４２】
また、このような給電線４２，４３の軟質被覆４２１，４３１と硬質被覆４２２，４３２との間には、従来の給電線とシースとの間に存在したような大きな空隙がない。このため、給電線４２，４３内部の導線４２０，４３０と、非接触給電装置８のピックアップＰが備えるコイル５１との間の距離が小さくなり、非接触給電装置８の受電能力が向上する。
更に、給電線４２，４３の断面形状が略矩形であるため、断面積が同じである場合、給電線４１の直径よりも、給電線４２，４３の厚みの方が小さくなる。このため、ピックアップＰと給電線４２，４３との間のエアギャップが小さいときであっても、ピックアップＰに給電線４２，４３を容易に挿入することができ、また、ピックアップＰと給電線４２，４３との接触を防止できる。
【００４３】
【発明の効果】
本発明の非接触給電用給電線及び非接触給電システムによれば、敷設時に、従来の非接触給電用給電線を敷設する場合のようにシースを所要の長さに切断して非接触給電用給電線を挿入させるという工程が必要ない。このため、長いシースに非接触給電用給電線を挿入する困難な作業も不要であり、給電線敷設作業のコストダウンが生じる。更に、敷設後に配線を修正する場合にも、シースが不要であり、配線の修正に伴う新たなシースの準備が必要ない。
【００４４】
また、シースを用いないため、シースと非接触給電用給電線との間の空隙も存在せず、非接触給電用給電線内部の導体と、非接触給電装置との間の距離が小さくなり、非接触給電装置の受電能力を向上することができる。また、シースが非接触給電装置に接触することもなく、シースと非接触給電装置との接触を防止するためにシースの配置を考慮（例えば、直線部にのみシースとシースとの継ぎ目を配置）したり、敷設時又は敷設後の配線修正時に、非接触給電用給電線の配置形状（直線、屈曲又は湾曲等）に応じた形状のシースを準備したりする必要もない。
【００４５】
また、第２被覆部の硬度がシースの硬度より低いため、第２被覆部を切断して非接触給電用給電線から容易に除去することができる。また、第１被覆部を第３被覆部が被覆している場合は、第２被覆部を切断する際にも、非接触給電用給電線を損傷させることがない。
また、非接触給電用給電線は柔軟性を有するため、敷設時及び敷設後の配線修正時に、配線の自由度を向上することができる。
更に、第３被覆部が第１被覆部と第２被覆部との間で摺動することによって、第２被覆部を除去することなく非接触給電用給電線が湾曲し易くなる等、本発明は優れた効果を奏する。
【図面の簡単な説明】
【図１】本発明の実施の形態１に係る非接触給電システムを備える移動体を用いた移動体システムの構成を示す斜視図である。
【図２】本発明の実施の形態１に係る非接触給電システムを備える移動体の構成を示す側面図である。
【図３】本発明の実施の形態１に係る非接触給電システムを備える移動体の構成を示す正面図である。
【図４】本発明の実施の形態１に係る非接触給電システムが備える非接触給電装置の構成を示す電気回路図である。
【図５】本発明の実施の形態１に係る非接触給電システムが備える給電線の構成を示す模式図である。
【図６】本発明の実施の形態２に係る給電線の構成を示す模式図である。
【図７】従来の給電線の構成を示す模式図である。
【符号の説明】
４１，４２，４３  給電線
４１０，４２０，４３０  導線
４１１，４２１，４３１  軟質被覆
４１２，４２２，４３２  硬質被覆
４１３，４２３，４３３  摺動被覆
８  非接触給電装置
【図１】
2004253268.tif 000003
【図２】
2004253268.tif 000004
【図３】
2004253268.tif 000005
【図４】
2004253268.tif 000006
【図５】
2004253268.tif 000007
【図６】
2004253268.tif 000008
【図７】
2004253268.tif 000009